(57)【要約】【課題】直交する鉄筋丸棒の十字交差部を容易に且つ短時間で強固に締結できる鉄筋締結ユニットを提供する。【解決手段】鉄筋コンクリート構造物の施工に際し、直交する鉄筋丸棒１２，１２の十字交差部１３を締結する鉄筋締結ユニット１１であって、鉄筋締結ユニット１１は、前記鉄筋丸棒１２，１２の十字交差部１３に配設され、鉄筋丸棒１２，１２の十字交差部１３を保持するブラケット１４と、ブラケット１４に組み込むことにより、ブラケット１４と鉄筋丸棒１２，１２の十字交差部１３とを締め付けて取り付ける取付バンド１，１とから構成される。【選択図】図２
0003117115.tif 000002
【実用新案登録請求の範囲】
【請求項１】
ブラケットに組み込むことにより、該ブラケットを鉄筋等に取付ける取付バンドであって、ワイヤロープの一端に、横長状固定金具が固着され、ワイヤロープの他端に雄ネジが刻設されたネジ付固定金具が固着されて成ることを特徴とする取付バンド。
【請求項２】
上記ネジ付固定金具の一端部に、上記雄ネジが刻設され、他端部に、該ネジ付固定金具よりも大径部を有するブロックが固着されて成ることを特徴とする請求項１記載の取付バンド。
【請求項３】
鉄筋コンクリート構造物の施工に際し、直交する鉄筋丸棒の十字交差部を締結する鉄筋締結ユニットであって、該鉄筋締結ユニットは、前記鉄筋丸棒の十字交差部に配設され、該鉄筋丸棒の十字交差部を保持するブラケットと、該ブラケットに組み込むことにより、該ブラケットと該鉄筋丸棒の十字交差部とを締め付けて取り付ける請求項１又は２記載の取付バンドとから構成されることを特徴とする鉄筋締結ユニット。
【請求項４】
上記ブラケットは、所定厚みの板状体が略断面コ字状に折曲されて、上板部と、前支脚部と、後支脚部が形成されて成り、該上板部は、中央上板部と、該中央上板部よりも低く形成された左右上板部から構成され、且つ、該左右上板部は後方に所定長さ延設されて左右延設部が形成され、前記前支脚部は、中央部に、下方に開口する略半円孔が形成され、該略半円孔の左右に上下に延びる略長方形孔が夫々形成され、該略長方形孔の下方に、下方に開放する溝孔が夫々形成され、前記後支脚部は、中央部に、下方に開口する略半円孔が形成され、該略半円孔の左右下方に、下方に開放する溝孔が夫々形成され、該後支脚部の左右上端は後方に折曲され、前記左右延設部の下面に接触して該左右延設部と略同長さ後方に延びる左右折曲部が形成され、前記左右延設部と前記左右折曲部には上記ネジ付固定金具を貫通させる固定金具貫通孔が上下方向に夫々形成されていることを特徴とする請求項３記載の鉄筋締結ユニット。
【考案の詳細な説明】
【技術分野】
【０００１】
本考案は、ブラケットに組み込むことにより、ブラケットを鉄筋等に取付けるように構成された取付バンド及び取付バンドとブラケットとを組み合わせて直交する鉄筋丸棒の十字交差部を締結する鉄筋締結ユニットに関するものである。
【背景技術】
【０００２】
従来、此種の直交する鉄筋丸棒の十字交差部を締結する鉄筋締結ユニットとして、例えば、特許文献１には、一の鉄筋とその鉄筋に接触交差する他の鉄筋を結束する鉄筋結束具が記載されており、この鉄筋結束具は、上板と、上板両端が略直角に曲折されて形成された左右側板とを備え、左右側板は一の鉄筋を挟持する如く略半円形状に形成された受け部と、左右側板の夫々の下端部間の間隙によって形成される開口部を有し、この開口部は他の鉄筋の径よりも小なる開口長を有し、前記受け部によって一の鉄筋を挟持し、前記開口部によって他の鉄筋を挟持し、且つ、左右側板の弾発力により他の鉄筋を弾圧して、一の鉄筋と、他の鉄筋を結束するように構成されている。
【０００３】
又、例えば、特許文献２には、鉄筋を交叉して接合する継ぎ具が記載されており、この継ぎ具は、継ぎ具本体と押さえ金具で形成され、継ぎ具本体を片方の鉄筋にボルト及び押しねじによって固定し、継ぎ具本体中央部に形成した案内部に前記鉄筋に直交する他方の鉄筋を副わせ、この他方の鉄筋を押え金で押え、押しねじに係るナットを締め付けて継ぎ具本体に固定するように構成されている。
【特許文献１】特開２００４−２３２３７３号公報
【特許文献２】特開２００２−３０９７１６号公報
【考案の開示】
【考案が解決しようとする課題】
【０００４】
然しながら、特許文献１記載の鉄筋結束具は、左右側板の弾発力により鉄筋を弾圧して、一の鉄筋とその鉄筋に接触交差する他の鉄筋を結束するものであり、鉄筋の強固な結束が期待できないという問題がある。
【０００５】
又、特許文献２記載の継ぎ具は、片方の鉄筋に継ぎ具本体をボルト及び押しねじによって固定し、他方の鉄筋を押え金で押え、押しねじに係るナットを締め付けて継ぎ具本体に固定するものであり、作業工程が多く、交叉する鉄筋を迅速に接合することができないという問題がある。
【０００６】
以上の現状に鑑み、本考案は、鉄筋にブラケットを容易に且つ短時間で強固に取り付けることができる取付バンド及びブラケットに取付バンドを取付けることにより、直交する鉄筋丸棒の十字交差部を容易に且つ短時間で強固に締結できる鉄筋締結ユニットを提供することを目的とする。
【課題を解決するための手段】
【０００７】
上記の課題を解決すべく、本考案は以下の構成を提供する。
請求項１に係る考案は、ブラケットに組み込むことにより、該ブラケットを鉄筋等に取付ける取付バンドであって、ワイヤロープの一端に、横長状固定金具が固着され、ワイヤロープの他端に雄ネジが刻設されたネジ付固定金具が固着されて成ることを特徴とする取付バンドを提供するものである。
【０００８】
請求項２に係る考案は、上記ネジ付固定金具の一端部に、上記雄ネジが刻設され、他端部に、該ネジ付固定金具よりも大径部を有するブロックが固着されて成ることを特徴とする請求項１記載の取付バンドを提供するものである。
【０００９】
請求項３に係る考案は、鉄筋コンクリート構造物の施工に際し、直交する鉄筋丸棒の十字交差部を締結する鉄筋締結ユニットであって、該鉄筋締結ユニットは、前記鉄筋丸棒の十字交差部に配設され、該鉄筋丸棒の十字交差部を保持するブラケットと、該ブラケットに組み込むことにより、該ブラケットと該鉄筋丸棒の十字交差部とを締め付けて取り付ける請求項１又は２記載の取付バンドとから構成されることを特徴とする鉄筋締結ユニットを提供するものである。
【００１０】
請求項４に係る考案は、上記ブラケットは、所定厚みの板状体が略断面コ字状に折曲されて、上板部と、前支脚部と、後支脚部が形成されて成り、該上板部は、中央上板部と、該中央上板部よりも低く形成された左右上板部から構成され、且つ、該左右上板部は後方に所定長さ延設されて左右延設部が形成され、前記前支脚部は、中央部に、下方に開口する略半円孔が形成され、該略半円孔の左右に上下に延びる略長方形孔が夫々形成され、該略長方形孔の下方に、下方に開放する溝孔が夫々形成され、前記後支脚部は、中央部に、下方に開口する略半円孔が形成され、該略半円孔の左右下方に、下方に開放する溝孔が夫々形成され、該後支脚部の左右上端は後方に折曲され、前記左右延設部の下面に接触して該左右延設部と略同長さ後方に延びる左右折曲部が形成され、前記左右延設部と前記左右折曲部には上記ネジ付固定金具を貫通させる固定金具貫通孔が上下方向に夫々形成されていることを特徴とする請求項３記載の鉄筋締結ユニットを提供するものである。
【考案の効果】
【００１１】
本考案の請求項１記載の考案によれば、ブラケットに組み込むことにより、該ブラケットを鉄筋等に取付ける取付バンドであって、ワイヤロープの一端に、横長状固定金具が固着され、ワイヤロープの他端に雄ネジが刻設されたネジ付固定金具が固着されて成る取付バンドを提供するので、この取付バンドによって鉄筋にブラケットを容易に且つ短時間で強固に取り付けることができる。
【００１２】
請求項２に係る考案によれば、上記ネジ付固定金具の一端部に、上記雄ネジが刻設され、他端部に、該ネジ付固定金具よりも大径部を有するブロックが固着されて成るので請求項１記載の考案の効果に加え、取付バンドの締め付け時に、ブロックによって、ブラケットの下端部から取付バンドのワイヤロープを離間させ、ブラケットの下端部のワイヤロープによる損傷を防止できる。
【００１３】
請求項３に係る考案によれば、鉄筋コンクリート構造物の施工に際し、直交する鉄筋丸棒の十字交差部を締結する鉄筋締結ユニットであって、該鉄筋締結ユニットは、前記鉄筋丸棒の十字交差部に配設され、該鉄筋丸棒の十字交差部を保持するブラケットと、該ブラケットに組み込むことにより、該ブラケットと該鉄筋丸棒の十字交差部とを締め付けて取り付ける請求項１又は２記載の取付バンドとから構成される鉄筋締結ユニットを提供するので、直交する鉄筋丸棒の十字交差部を容易に且つ短時間で強固に締結することができる。
【００１４】
請求項４に係る考案によれば、上記ブラケットは、所定厚みの板状体が略断面コ字状に折曲されて、上板部と、前支脚部と、後支脚部が形成されて成り、該上板部は、中央上板部と、該中央上板部よりも低く形成された左右上板部から構成され、且つ、該左右上板部は後方に所定長さ延設されて左右延設部が形成され、前記前支脚部は、中央部に、下方に開口する略半円孔が形成され、該略半円孔の左右に上下に延びる略長方形孔が夫々形成され、該略長方形孔の下方に、下方に開放する溝孔が夫々形成され、前記後支脚部は、中央部に、下方に開口する略半円孔が形成され、該略半円孔の左右下方に、下方に開放する溝孔が夫々形成され、該後支脚部の左右上端は後方に折曲され、前記左右延設部の下面に接触して該左右延設部と略同長さ後方に延びる左右折曲部が形成され、前記左右延設部と前記左右折曲部には上記ネジ付固定金具を貫通させる固定金具貫通孔が上下方向に夫々形成されているので、請求項３記載の考案の効果に加え、取付バンドがブラケットに組み込み易く、且つ、直交する鉄筋丸棒の十字交差部を容易に保持して、短時間で強固に締結することができる。
【考案を実施するための最良の形態】
【００１５】
以下、実施例を示した図面を参照しつつ本考案の実施の形態を説明する。
図１に於いて、１は、後述するブラケットに組み込むことにより、ブラケットを鉄筋等に取付ける本考案の取付バンドであり、取付バンド１はワイヤロープ２の一端に、例えば、直方体状に形成される横長状固定金具３が固着され、ワイヤロープ２の他端に、雄ネジ４が刻設された丸棒状のネジ付固定金具５が固着されて成る。尚、横長状固定金具３及びネジ付固定金具５は、夫々ワイヤロープ２を圧着することにより、ワイヤロープ２に固着される。
【００１６】
又、前記取付バンド１のネジ付固定金具５は、その一端部（図に於いて下端部）に前記雄ネジ４が刻設され、他端部（図に於いて上端部）に、ネジ付固定金具５よりも大径部（大きな外周部）を有する例えばナット形状のブロック６が固着されている。尚、ブロック６は、ナット形状に限定されるものではなく、その平面視外周形状が三角形、四角形、円形或いは楕円形等の他の形状に形成されても良く、然る時も略同様の効果が期待できる。
【００１７】
図２及び図３に於いて、１１は、本考案の鉄筋締結ユニットであり、鉄筋締結ユニット１１は、鉄筋コンクリート構造物（図示せず）の施工に際し、直交する鉄筋丸棒１２，１２の十字交差部１３を締結するものであり、鉄筋丸棒１２，１２の十字交差部１３に配設され、鉄筋丸棒１２，１２の十字交差部１３を保持するブラケット１４と、ブラケット１４に組み込むことにより、ブラケット１４と鉄筋丸棒１２，１２の十字交差部１３とを締め付けて取り付ける前記取付バンド１，１とから構成される。
【００１８】
更に、前記ブラケット１４は、図４及び図５に示す如く、所定厚みの板状体が略断面コ字状に折曲されて、上板部２１と、前側板部である前支脚部２２と、後側板部である後支脚部２３とが形成されて成り、上板部２１は、中央上板部２４と、中央上板部２４よりも低く形成された左右上板部２５，２６から構成され、且つ、左右上板部２５，２６は後方に所定長さ延設されて左右延設部２５ａ，２６ａが形成されている。
【００１９】
更に又、前記前支脚部２２は、中央部に、下方に開口する略半円孔２７が形成され、略半円孔２７の左右に上下に延びる略長方形孔２８，２８が夫々形成され、略長方形孔２８，２８の下方に、下方に開放する溝孔２９，２９が夫々形成されている。尚、略長方形孔２８は、前記横長状固定金具３の横長方向を略長方形孔２８の長辺方向に揃えると貫通させることができると共に、貫通させた後、例えば、９０度回転すると、戻り方向の貫通動作が規制され、横長状固定金具３が略長方形孔２８に係止されるように形成されている。
【００２０】
そして、前記後支脚部２３は、中央部に、下方に開口する略半円孔２７が形成され、略半円孔２７の左右下方に、下方に開放する溝孔２９，２９が夫々形成され、後支脚部２３の左右上端は後方に折曲され、前記左右延設部２５ａ，２６ａの下面に接触して左右延設部２５ａ，２６ａと略同長さ後方に延びる左右折曲部３０，３１が形成されている。
【００２１】
又、前支脚部２２及び後支脚部２３の中央上部には、図８に示す型枠３２から突設されるセパレータ３３を貫通させるセパレータ貫通孔３４，３４が前後方向に夫々形成され、前記左右延設部２５ａ，２６ａと前記左右折曲部３０，３１には前記ネジ付固定金具５，５を貫通させる固定金具貫通孔３５，３５が上下方向に夫々形成されている。尚、セパレータ３３を貫通させて固着する必要がない場合は、セパレータ貫通孔３４，３４を形成しなくても良い。
【００２２】
而して、前記鉄筋締結ユニット１１の取付け方法を説明すると、先ず、図６に示す如く、前記取付バンド１，１の横長状固定金具３，３の横長方向を前記ブラケット１４の前支脚部２２に形成された略長方形孔２８，２８の長辺方向に揃えて前方から後方に向かって夫々貫通させ、９０度回転させて、横長状固定金具３，３を略長方形孔２８，２８に係止させる。
【００２３】
そして、図７に示す如く、取付バンド１のネジ付固定金具５の雄ネジ４部分を前記固定金具貫通孔３５に夫々下方から上方に貫通させ、雄ネジ４に雌ネジ３６を螺合させ、雌ネジ３６を回転させて取付バンド１を締め付けていく。この時、取付バンド１のワイヤロープ２の図７に於ける下端部は前記溝孔２９，２９内に入り込んで鉄筋丸棒（図２に於て１２）を締め付ける。
【００２４】
尚、この時、前記ブロック６は、後支脚部２３の溝孔２９上方近傍に当接する。これによって、ブロック６はワイヤロープ２を後支脚部２３の溝孔２９上方近傍から離間させるので、ワイヤロープ２が後支脚部２３の下端部の溝孔２９近傍を損傷させることがない。
【００２５】
前図２は、本考案の鉄筋締結ユニット１１を鉄筋丸棒１２，１２の十字交差部１３に取付けた状態を示し、鉄筋丸棒１２，１２の十字交差部１３の上方の鉄筋丸棒１２に、鉄筋締結ユニット１１のブラケット１４の略半円孔２７，２７部分を載置し、ブラケット１４の前後支脚部２２，２３の間隙間に他方の下方側の鉄筋丸棒１２を挟持状態に位置させた状態で、ブラケット１４に取り付けた取付バンド１，１の締め付けを行なう。この時、取付バンド１，１は下方側の鉄筋丸棒１２をブラケット１４側に引き寄せ締め付けるが、上方の鉄筋丸棒１２もブラケット１４の略半円孔２７，２７に押下されて、同時に締め付けられる。
【００２６】
これによって、鉄筋丸棒１２，１２の十字交差部１３と鉄筋締結ユニット１１とは、強固に固着される。
【００２７】
斯くして、本考案の鉄筋締結ユニット１１は、直交する鉄筋丸棒１２，１２の十字交差部１３を容易に且つ短時間で強固に締結することができる。特に、本考案の鉄筋締結ユニット１１は、強固に締結されるので、例えば、コンクリート打設時にバイブレータを使用する場合に於いて、バイブレータの振動によってもその締結が緩むことがない。
【００２８】
又、本考案の取付バンド１は、鉄筋丸棒１２にブラケット１４を容易に且つ短時間で強固に取り付けることができる。
【００２９】
更に、本考案の取付バンド１は、ネジ付固定金具５の一端部に、雄ネジ４が刻設され、他端部に、ネジ付固定金具５よりも大径部を有するブロック６が固着されて成るので、ブラケット１４の後支脚部２３下端部から取付バンド１のワイヤロープ２を離間させ、取付バンド１の締め付け時に、ブラケット１４の後支脚部２３の下端部の溝孔２９近傍がワイヤロープ２によって損傷することがない。
【００３０】
更に又、本考案の鉄筋締結ユニット１１に於いて、ブラケット１４は、前支脚部２２の略半円孔２７の左右に上下に延びる略長方形孔２８，２８が夫々形成され、略長方形孔２８，２８の下方に、下方に開放する溝孔２９，２９が夫々形成され、後支脚部２３の略半円孔２７の左右下方に、下方に開放する溝孔２９，２９が夫々形成され、左右延設部２５ａ，２６ａと左右折曲部３０，３１にはネジ付固定金具５を貫通させる固定金具貫通孔３５，３５が夫々形成されているので、ブラケット１４に取付バンド１を容易に且つ短時間で強固に取り付けることができる。
【００３１】
又、ブラケット１４には、前支脚部２２及び後支脚部２３の下端部に下方に開放する溝孔２９，２９…が夫々形成されており、ワイヤロープ２,２の下端部は前記溝孔２９，２９…に入り込んで鉄筋丸棒１２，１２を締め付けるので、ワイヤロープ２，２が前支脚部２２及び後支脚部２３の下端部からずれることなく、鉄筋丸棒１２，１２を確実且つ強固に締結できると共に、ワイヤロープ２，２によって、前支脚部２２及び後支脚部２３の下端部を損傷することがない。
【００３２】
尚、本考案の取付バンド１は、前記ブラケット１４に限定されることなく、前記略長円孔２８及び固定金具貫通孔３５と同様な機能を有する他の形状のブラケットであっても取り付けることができるので、汎用的に用いることが可能である。
【００３３】
図８は、前記鉄筋締結ユニット１１が、鉄筋丸棒１２，１２の交差部１３を締結した状態で、鉄筋締結ユニット１１のセパレータ貫通孔３４（図２に示す）に、型枠３２から突設させたセパレータ３３の先端部を貫通させ、ナット３７，３７等を用いて、セパレータ３３を鉄筋締結ユニット１１に固着する場合を示している。これによって、鉄筋丸棒１２，１２の交差部１３と、型枠３２とを所定間隔に保持することができる。
【００３４】
尚、鉄筋締結ユニット１１にセパレータ３３を必ず固着するものではなく、セパレータ３３の先端部が鉄筋締結ユニット１１に位置して施工されている場合にセパレータ３３を鉄筋締結ユニット１１に固着する。
【００３５】
又、前記セパレータ貫通孔３４にセパレータ３３を貫通させる作業は、前記取付バンド１，１を締め付ける前に行なっても良い。
【図面の簡単な説明】
【００３６】
【図１】本考案による取付バンドの斜視図である。
【図２】本考案による鉄筋締結ユニットの締結状態を示す斜視図である。
【図３】本考案による鉄筋締結ユニットの斜視図である。
【図４】本考案による鉄筋締結ユニットのブラケットの斜視図である。
【図５】図４に示す鉄筋締結ユニットのブラケットの背面図である。
【図６】本考案による鉄筋締結ユニットの締結の一過程を示す斜視図である。
【図７】図３に示す鉄筋締結ユニットの左側面図である。
【図８】本考案による鉄筋締結ユニットに型枠から延びるセパレータを固着した状態を示す斜視図である。
【符号の説明】
【００３７】
１  取付バンド
２  ワイヤロープ
３  横長状固定金具
４  雄ネジ
５  ネジ付固定金具
６  ブロック
１１  鉄筋締結ユニット
１２  鉄筋丸棒
１３  十字交差部
１４  ブラケット
２１  上板部
２２  前支脚部
２３  後支脚部
２４  中央上板部
２５  左上板部
２５ａ  左延設部
２６  右上板部
２６ａ  右延設部
２７  略半円孔
２８  略長方形孔
２９  溝孔
３０  左折曲部
３１  右折曲部
【図１】
0003117115.tif 000003
【図２】
0003117115.tif 000004
【図３】
0003117115.tif 000005
【図４】
0003117115.tif 000006
【図５】
0003117115.tif 000007
【図６】
0003117115.tif 000008
【図７】
0003117115.tif 000009
【図８】
0003117115.tif 000010